(57)【要約】【課題】筒部を有する履物の内部の温度を調節しつつ、使用者の足に靴擦れが生ずるのを防止できる履物内温度調節具を提供すること。【解決手段】履物内温度調節具１は、筒部１１０を有するブーツ１００の内部に設けられ、ブーツ１００の筒部１１０に固定される固定部１０と、ブーツ１００の内部の温度を調節し、固定部１０に着脱自在に取り付けられるポケット２０又は通気部材３０と、を備え、固定部１０は、長尺体で形成され、長辺１０ａが筒部１１０の周方向に配置される。【選択図】図１
2015085146.tif 000002
【特許請求の範囲】
【請求項１】
筒部を有する履物の内部に設けられる履物内温度調節具であって、
前記履物の前記筒部に固定される固定部と、
前記履物の内部の温度を調節し、前記固定部に着脱自在に取り付けられる温度調節部と、を備え、
前記固定部は、長尺体で形成され、長辺が前記筒部の周方向に配置される履物内温度調節具。
【請求項２】
前記温度調節部は、伸縮性のある素材で形成され、上方に開口部を有し、発熱材を収容する袋状体であり、
前記開口部の内径は、前記温度調節部の底部の内径より小さい請求項１に記載の履物内温度調節具。
【請求項３】
前記温度調節部は、前記履物内と外部とを通気し、
前記固定部に取り付けられ、柔軟性を有する素材で形成されたクッション部と、
前記クッション部の内部に設けられ、筒状体で形成され、前記クッション部を上下方向に貫通する連通管と、を備える請求項１に記載の履物内温度調節具。
【発明の詳細な説明】
【技術分野】
【０００１】
本発明は、履物内温度調節具に関し、詳しくは、筒部を有する履物の内部に設けられる履物内温度調節具に関する。
【背景技術】
【０００２】
従来、冬場に足が冷えるのを防止するために、内部に発熱材を収容する履物がある。
このような履物として、サンダルの甲の部に使い捨てカイロを収納可能なポケットを合体して、足体の挿入口と同一方向に袋状のポケットの開口部を設けて構成したポケット付サンダルが提案されている（特許文献１）。
このポケット付サンダルによれば、ポケットに使い捨てカイロを収納して履くことで、足が冷えるのを防止できる。
【先行技術文献】
【特許文献】
【０００３】
【特許文献１】実用新案登録第３０２６６２９号公報
【発明の概要】
【発明が解決しようとする課題】
【０００４】
ところで、サンダルは、使用者がサンダルを履いた時、使用者の足の甲とサンダルの甲の部との間にスペースがあるため、このスペースに発熱材を収容することができる。また、サンダルは、使用者の踵を拘束しないので、サンダル内部に発熱材が入っていても、使用者の足に靴擦れが生ずることもない。
しかしながら、筒部を有する履物、例えば、ブーツの場合、使用者がブーツを履くと、使用者の足の甲とブーツの甲の部との間のスペースは狭く、発熱材を収容するのは困難である。また、ブーツは、使用者の足を、つま先から膝下まで拘束するので、この狭いスペースに無理に発熱材を入れた場合、使用者の足に靴擦れが生ずるおそれがある。
【０００５】
本発明は、筒部を有する履物の内部の温度を調節しつつ、使用者の足に靴擦れが生ずるのを防止できる履物内温度調節具を提供することを目的とする。
【課題を解決するための手段】
【０００６】
（１）  筒部を有する履物の内部に設けられる履物内温度調節具であって、
前記履物の前記筒部に固定される固定部と、
前記履物の内部の温度を調節し、前記固定部に着脱自在に取り付けられる温度調節部と、を備え、
前記固定部は、長尺体で形成され、長辺が前記筒部の周方向に配置される履物内温度調節具。
【０００７】
（１）の発明によれば、筒部を有する履物の内部に設けられる履物内温度調節具は、固定部と、温度調節部と、を備えた。
固定部は、履物の筒部に固定される。
温度調節部は、履物の内部の温度を調節し、固定部に着脱自在に取り付けられる。
そして、固定部は、長尺体で形成され、長辺が筒部の周方向に配置される。
【０００８】
これにより、履物の筒部の周方向に長辺が配置された固定部の任意の位置に、履物の内部の温度を調節する温度調節部を、取り付けることができる。
ここで、履物の筒部に当接する膝下の形状は、使用者によって異なる。即ち、履物の筒部において、使用者の足に負担をかけずに温度調節部を取り付けられる位置は、使用者によって異なる。また、同じ使用者であっても、足の状態によって、足に負担をかけずに温度調節部を取り付けられる位置は異なる。
仮に、足に負担がかかる位置に温度調節部を取り付けた場合、使用者の足に靴擦れが生ずるおそれがある。
【０００９】
本発明によれば、使用者毎に、また、使用者の足の状態に応じて、筒部の周方向に長辺が配置された固定部上において、温度調節部を取り付ける位置を、足に負担をかけない位置に調整できる。
したがって、筒部を有する履物の内部の温度を調節しつつ、使用者の足に靴擦れが生ずるのを防止できる。
【００１０】
（２）  前記温度調節部は、伸縮性のある素材で形成され、上方に開口部を有し、発熱材を収容する袋状体であり、
前記開口部の内径は、前記温度調節部の底部の内径より小さい（１）に記載の履物内温度調節具。
【００１１】
（２）の発明によれば、袋状体の温度調節部に発熱材を収容することで、履物の内部を温めることができる。
また、袋状体の温度調節部における開口部の内径を、袋状体の底部の内径より小さくした。
これにより、例えば、開口部の内径を発熱材の外径より小さくし、底部の内径を発熱材の外径より大きくすることで、袋状体の温度調節部に収容した発熱材が、温度調節部の外に飛び出したり、温度調節部の内部で位置がずれたりし、足に負担をかけるのを防止できる。
【００１２】
（３）  前記温度調節部は、前記履物内と外部とを通気し、
前記固定部に取り付けられ、柔軟性を有する素材で形成されたクッション部と、
前記クッション部の内部に設けられ、筒状体で形成され、前記クッション部を上下方向に貫通する連通管と、を備える（１）に記載の履物内温度調節具。
【００１３】
（３）の発明によれば、温度調節部は、履物内と外部とを通気し、クッション部と、連通管と、を備える。
クッション部は、固定部に取り付けられ、柔軟性を有する素材で形成されている。
連通管は、クッション部の内部に設けられ、筒状体で形成され、クッション部を上下方向に貫通する。
【００１４】
これにより、連通管は、履物内と外部とを通気するので、履物内を換気できる。
例えば、使用者が歩いた場合、つま先を曲げ地面を蹴った時に、履物内の空気は連通管を通って外部に排出される。そして、後方から前方に足を運ぶ時につま先が元に戻り、外部の空気が連通管を通って履物内に流入する。
【００１５】
ここで、例えば、警察官や自衛官等の職業によっては、夏場でも筒部を有する履物を履かなくてはならない。このような場合であっても、本発明によれば、履物内を換気することで、履物内の温度の上昇を抑えることができる。
【００１６】
また、このような連通管は柔軟性を有する素材で形成されたクッション部の内部に設けたので、足に負担をかけるのを防止できる。
【発明の効果】
【００１７】
本発明によれば、筒部を有する履物の内部の温度を調節しつつ、使用者の足に靴擦れが生ずるのを防止できる履物内温度調節具を提供できる。
【図面の簡単な説明】
【００１８】
【図１】本発明の実施形態に係る履物内温度調節具をブーツに適用した状態を示す斜視図である。
【図２】前記実施形態に係る履物内温度調節具をブーツに適用した状態を上方から視た図である。
【図３】前記実施形態に係るポケットを裏面から視た図である。
【図４】前記実施形態の変形例に係るポケットを裏面から視た図である。
【図５】前記実施形態に係る履物内温度調節具の使用方法を説明する図である。
【図６】前記実施形態に係る履物内温度調節具をブーツに適用した状態を示す斜視図である。
【図７】図６に示す前記実施形態に係る履物内温度調節具のＡＡ断面図である。
【発明を実施するための形態】
【００１９】
本発明の実施形態に係る履物内温度調節具１について説明する。なお、以下の説明において、同一の構成には同一の符号を付し、その説明を省略又は簡略化する。
本発明の実施形態に係る履物内温度調節具１の構成を図面に基づいて説明する。
図１は、本発明の実施形態に係る履物内温度調節具１をブーツ１００に適用した状態を示す斜視図である。
図２は、前記実施形態に係る履物内温度調節具１をブーツ１００に適用した状態を上方から視た図である。
【００２０】
履物内温度調節具１は、筒部１１０を有する履物としてのブーツ１００の内部に設けられる。なお、本実施形態では、履物内温度調節具１を、筒部１１０を有する履物としてのブーツ１００に適用した例を説明するが、履物内温度調節具１はブーツに限らず、例えば、長靴等の筒部を有する履物に適用できる。また、ブーツ１００として、図にはワークブーツを示しているが、筒部を有すれば、履物内温度調節具１はワークブーツに限らず、例えば、ムートンブーツ等の他のブーツにも適用できる。
【００２１】
履物内温度調節具１は、固定部１０と、温度調節部としてのポケット２０又は通気部材３０（図６参照）と、を備える。
【００２２】
固定部１０は、長尺体で形成され、長辺１０ａが筒部１１０の周方向に配置されている。
固定部１０は、ブーツ１００の筒部１１０の内壁に固定される。固定部１０は、例えば、接着材、縫合、両面テープ等により裏面１１が、筒部１１０の内壁に固定されている。
また、固定部１０は、表面１２において、ループ状の起毛が植毛されている。
なお、本実施形態において、固定部１０は、１つだけであるが、これに限らず、高さ方向に所定間隔を空けて、複数設けてもよい。
【００２３】
ここで、例えば、ブーツ１００がムートンブーツの場合、ブーツ１００の筒部１１０の内壁に毛がある。この場合、固定部１０は、筒部１１０の内壁において、固定部１０を固定する部分の毛を刈り取ってから固定するのが好ましい。これにより、固定部１０を確実にブーツ１００の筒部１１０に固定できる。
【００２４】
ポケット２０は、ブーツ１００の内部の温度を調節し、固定部１０の表面１２に着脱自在に取り付けられる。
【００２５】
図３は、前記実施形態に係るポケット２０を裏面から視た図である。
ポケット２０は、ポケット本体２１と、ポケット本体２１の裏面２１ａ側に固定されたポケット固定部２２と、を備える。
ポケット本体２１は、伸縮性のある素材（例えば、ジャージ生地やニット生地等）で形成され、上方に開口部２１ｂを有し、発熱材（例えば、使い捨てカイロ等）２００を収容する袋状体である。
ポケット本体２１の開口部２１ｂの内径は、ポケット本体２１の底部２１ｃの内径より小さく形成されている。即ち、ポケット本体２１は、正面視で略台形形状に形成されている。なお、ポケット本体２１は、袋状体であれば、正面視で、矩形形状、円形形状、楕円形状等、任意の形状とすることができる。
また、ポケット本体２１は、開口部２１ｂの内径を発熱材２００の外径より小さくし、底部２１ｃの内径を発熱材２００の外径より大きくすることが望ましい。
【００２６】
ポケット固定部２２は、かぎ爪状の突起が植毛されている。即ち、固定部１０の表面１２及びポケット２０のポケット固定部２２は、面ファスナーで構成されている。
ポケット固定部２２は、長尺体で形成され、その長辺２２ａが、固定部１０の長辺１０ａと直交する方向に、配置されている。
ポケット固定部２２は、固定部１０の長辺１０ａが延びる方向に、所定間隔を空けて２つ設けられている。なお、本実施形態において、ポケット固定部２２は、２つ設けているが、これに限らず、１つ又は３つ以上であってもよい。
【００２７】
図４は、前記実施形態の変形例に係るポケット２０Ａを裏面から視た図である。
ポケット２０Ａは、ポケット２０とは、ポケット固定部の形状が異なる。
ポケット２０Ａのポケット固定部２２Ａは、ポケット本体２１の開口部２１ｂの内径と略同じ幅で、ポケット本体２１の高さと略同じ高さで形成されている。なお、ポケット固定部２２Ａは、正面視で、ポケット本体２１と同じ形状で形成してもよい。
【００２８】
図５は、前記実施形態に係る履物内温度調節具１の使用方法を説明する図である。
固定部１０は、図１に示すように、ブーツ１００の筒部１１０の内壁に沿うように、湾曲されて固定されるが、図５では理解を容易にするため、一直線上に展開した状態を示している。
使用者は、足の状態に応じて、固定部１０上において、発熱材２００を収容したポケット２０を取り付ける位置を、足に負担をかけない位置に調整する。具体的には、使用者は、位置Ｐ１にポケット２０を取り付け、違和感がある場合には、例えば、位置Ｐ２や位置Ｐ３に、ポケット２０を取り付けることができる。
【００２９】
図６は、前記実施形態に係る履物内温度調節具１をブーツ１００に適用した状態を示す斜視図である。
図６に示す履物内温度調節具１は、温度調節部として、ポケット２０（図１参照）の代わりに通気部材３０を備える点が、図１に示す状態と異なる。
通気部材３０は、ブーツ１００の内部と外部とを通気し、固定部１０に着脱自在に取り付けられる。
【００３０】
図７は、図６に示す前記実施形態に係る履物内温度調節具１のＡＡ断面図である。
通気部材３０は、クッション部３１と、連通管３２と、を備える。
【００３１】
クッション部３１は、その裏面３１ａが固定部１０の表面１２に着脱自在に取り付けられ、柔軟性を有する素材（例えば、ポリウレタン等の合成樹脂を発泡成形した素材等）で形成されている。
クッション部３１は、裏面３１ａにおいて、かぎ爪状の突起が植毛されている。即ち、固定部１０の表面１２及びクッション部３１の裏面３１ａは、面ファスナーで構成されている。
【００３２】
連通管３２は、クッション部３１の内部に設けられ、硬質性の素材（例えば、プラスチック、金属等）の筒状体で形成され、クッション部３１を上下方向に貫通する。
【００３３】
固定部１０に通気部材３０を取り付けた履物内温度調節具１をブーツ１００に適用することで、ブーツ１００の内部を換気できる。
具体的には、使用者が歩いた場合、つま先を曲げ地面を蹴った時に、ブーツ１００内の空気は連通管３２を通って外部に排出される。そして、後方から前方に足を運ぶ時につま先が元に戻り、外部の空気が連通管３２を通ってブーツ１００内に流入する。
【００３４】
本実施形態に係る履物内温度調節具１によれば、使用者毎に、また、使用者の足の状態に応じて、ブーツ１００の筒部１１０の周方向に長辺１０ａが配置された固定部１０上において、ポケット２０又は通気部材３０を取り付ける位置を、足に負担をかけない位置に調整できる。
したがって、筒部を有する履物の内部の温度を調節しつつ、使用者の足に靴擦れが生ずるのを防止できる。
【００３５】
また、例えば、ポケット２０の開口部２１ｂの内径を発熱材２００の外径より小さくし、底部２１ｃの内径を発熱材２００の外径より大きくすることで、ポケット２０に収容した発熱材２００が、ポケット２０の外に飛び出したり、ポケット２０の内部で位置がずれたりし、足に負担をかけるのを防止できる。
【００３６】
また、ブーツ１００内を換気することで、ブーツ１００内の温度の上昇を抑えることができるとともに、足に負担をかけるのを防止できる。
【００３７】
なお、本発明は前記実施形態に限定されるものではなく、本発明の目的を達成できる範囲での変形、改良等は本発明に含まれるものである。
【符号の説明】
【００３８】
１      履物内温度調節具
１０    固定部
１０ａ  長辺
２０    ポケット
３０    通気部材
１００  ブーツ
１１０  筒部
【図１】
2015085146.tif 000003
【図２】
2015085146.tif 000004
【図３】
2015085146.tif 000005
【図４】
2015085146.tif 000006
【図５】
2015085146.tif 000007
【図６】
2015085146.tif 000008
【図７】
2015085146.tif 000009